(57)【要約】      （修正有）【課題】サンバイザによる太陽光の遮蔽状態を良好に行えるものでありながら、コンバインの全高を低くして、倉庫への格納や機体へのシート掛け作業を容易に行えるものとする。【解決手段】車体フレーム２の前側に刈取装置６を設け、車体フレーム２の上部には脱穀装置とグレンタンク７を左右に並べて設け、グレンタンク７の前側に操縦席１０ａを設けたコンバインにおいて、操縦席１０ａとグレンタンク７との間における車体フレーム２側の部位に、サンバイザ１１を支持するアームの基部を前後方向へ回動自在に取り付け、アームの前後方向への回動操作に基づいてサンバイザ１１を所定の横向き姿勢を維持したまま前後方向へ移動させる連繋手段１６を備える。【選択図】図１
2013112275.tif 000002
【特許請求の範囲】
【請求項１】
車体フレーム（２）の前側に刈取装置（６）を設け、車体フレーム（２）の上部には脱穀装置（８）とグレンタンク（７）を左右に並べて設け、該グレンタンク（７）の前側に操縦席（１０ａ）を設けたコンバインにおいて、
前記操縦席（１０ａ）とグレンタンク（７）との間における車体フレーム（２）側の部位に、サンバイザ（１１）を支持するアーム（１９）の基部を前後方向へ回動自在に取り付け、該アーム（１９）の前後方向への回動操作に基づいて前記サンバイザ（１１）を所定の横向き姿勢を維持したまま前後方向へ移動させる連繋手段（１６）を備えたことを特徴とするコンバイン。
【請求項２】
前記サンバイザ（１１）の横向き姿勢を前後方向へ姿勢変更可能な構成とした請求項１に記載のコンバイン。
【請求項３】
前記サンバイザ（１１）を、操縦席（１０ａ）の上方を覆う第１位置（Ａ）と該第１位置（Ａ）よりも後側下方の第２位置（Ｂ）とに位置変更可能に構成し、
該サンバイザ（１１）を前記第２位置（Ｂ）に位置変更した状態において、該サンバイザ（１１）の後部がグレンタンク（７）の前部上側に位置する構成とした請求項１または請求項２に記載のコンバイン。
【請求項４】
前記グレンタンク（７）の前側上部には側面視で後上り傾斜状に切り欠いた切り欠き部（７ｂ）を形成し、
前記アーム（１９）を後方へ回動させた場合に、該アーム（１９）の少なくとも一部が前記切り欠き部（７ｂ）に侵入する構成とした請求項１または請求項２または請求項３に記載のコンバイン。
【請求項５】
前記連繋手段（１６）には、前記アーム（１９）に対して前後方向に所定の間隔をおいて配置されるロッド（２０）を備え、
該ロッド（２０）の両端部をサンバイザ（１１）側の部位と車体フレーム（２）側の部位とに夫々取付け、
該ロッド（２０）の端部を取付けるサンバイザ（１１）側の部位、または、前記車体フレーム（２）側の部位に、該ロッド（２０）端部の取付け位置を変更可能な調節部（１８ａ）を設けた請求項１から請求項４のいずれか一項に記載のコンバイン。
【請求項６】
前記アーム（１９）とサンバイザ（１１）の間に、サンバイザ（１１）を上昇側に付勢する付勢手段（２３）を備えた請求項１から請求項５のいずれか一項に記載のコンバイン。
【発明の詳細な説明】
【技術分野】
【０００１】
本発明は、サンバイザを備えたコンバインに関する。
【背景技術】
【０００２】
従来より、コンバインによる収穫作業は、夏季に行われる地域が多く、太陽光を遮蔽する手段として、操縦席の上方を覆うサンバイザを備えたものがある。
このようなサンバイザとして、操縦席の上方に固定設置されるものや、操縦者の着座姿勢と立ち姿勢とに対応するために、サンバイザを上下方向へスライド調節自在に構成したもの等がある。
【０００３】
また、特許文献１に示すとおり、作業車輌に装備するサンバイザとして、上方に障害物がある場所を走行したり、車庫等に作業車輌を格納したりする際に、サンバイザが障害物と干渉することを防止するために、操縦席の上部に支持部材で支持されたサンバイザを操縦部の上側を覆う状態と、操縦部から後方へ移動させて低位置に移動した状態とに切換可能な構造を有するものが知られている。
【先行技術文献】
【特許文献】
【０００４】
【特許文献１】特開２０００−１３９４７１号公報
【発明の概要】
【発明が解決しようとする課題】
【０００５】
しかしながら、上述のようにサンバイザを上下方向へスライド調節できるものであっても、陽射しの方向によっては、操縦者に当たる太陽光を十分に遮蔽することができない欠点が残る。
【０００６】
また、上記特許文献に記載されたサンバイザをコンバインに装備しても、操縦部の後方に穀粒を貯留するための大容量のグレンタンクを有するために、サンバイザの後方への移動範囲が制限される問題が生じる。
【課題を解決するための手段】
【０００７】
上記本発明の課題は、次の技術手段により解決される。
請求項１に記載の発明は、車体フレーム（２）の前側に刈取装置（６）を設け、車体フレーム（２）の上部には脱穀装置（８）とグレンタンク（７）を左右に並べて設け、該グレンタンク（７）の前側に操縦席（１０ａ）を設けたコンバインにおいて、前記操縦席（１０ａ）とグレンタンク（７）との間における車体フレーム（２）側の部位に、サンバイザ（１１）を支持するアーム（１９）の基部を前後方向へ回動自在に取り付け、該アーム（１９）の前後方向への回動操作に基づいて前記サンバイザ（１１）を所定の横向き姿勢を維持したまま前後方向へ移動させる連繋手段（１６）を備えたことを特徴とするコンバインとする。
【０００８】
請求項２に記載の発明は、前記サンバイザ（１１）の横向き姿勢を前後方向へ姿勢変更可能な構成とした請求項１に記載のコンバインとする。
請求項３に記載の発明は、前記サンバイザ（１１）を、操縦席（１０ａ）の上方を覆う第１位置（Ａ）と該第１位置（Ａ）よりも後側下方の第２位置（Ｂ）とに位置変更可能に構成し、  該サンバイザ（１１）を前記第２位置（Ｂ）に位置変更した状態において、該サンバイザ（１１）の後部がグレンタンク（７）の前部上側に位置する構成とした請求項１または請求項２に記載のコンバインとする。
【０００９】
請求項４に記載の発明は、前記グレンタンク（７）の前側上部には側面視で後上り傾斜状に切り欠いた切り欠き部（７ｂ）を形成し、前記アーム（１９）を後方へ回動させた場合に、該アーム（１９）の少なくとも一部が前記切り欠き部（７ｂ）に侵入する構成とした請求項１または請求項２または請求項３に記載のコンバインとする。
【００１０】
請求項５に記載の発明は、前記連繋手段（１６）には、前記アーム（１９）に対して前後方向に所定の間隔をおいて配置されるロッド（２０）を備え、該ロッド（２０）の両端部をサンバイザ（１１）側の部位と車体フレーム（２）側の部位とに夫々取付け、該ロッド（２０）の端部を取付けるサンバイザ（１１）側の部位、または、前記車体フレーム（２）側の部位に、該ロッド（２０）端部の取付け位置を変更可能な調節部（１８ａ）を設けた請求項１から請求項４のいずれか一項に記載のコンバインとする。
【００１１】
請求項６に記載の発明は、前記アーム（１９）とサンバイザ（１１）の間に、サンバイザ（１１）を上昇側に付勢する付勢手段（２３）を備えた請求項１から請求項５のいずれか一項に記載のコンバインとする。
【発明の効果】
【００１２】
請求項１記載の発明によれば、アーム（１９）を前後方向へ回動操作することでサンバイザ（１１）を前後方向へ移動させることができるうえに、この移動に拘らずサンバイザ（１１）の姿勢が所定の横向き姿勢に維持されるので、太陽光の遮蔽状態を良好な状態に維持できる。また、サンバイザ（１１）が後方へ移動することで、操縦者が操縦席（１０ａ）から立ち上がっても、頭上に干渉しにくく、立ち姿勢での作業を能率よく行うことができる。
【００１３】
請求項２記載の発明によれば、上記請求項１に記載の発明の効果に加え、陽射しの方向に応じてサンバイザ（１１）の横向き姿勢を前後方向へ姿勢でき、太陽光の遮蔽状態を良好な状態に調節できる。また、サンバイザ（１１）を前下がり傾斜姿勢に調節すれば、コンバインを天井の低い倉庫へ格納したり、コンバインにシートを掛けたりする作業が容易に行なえる。
【００１４】
請求項３記載の発明によれば、上記請求項１または請求項２に記載の発明の効果に加え、サンバイザ（１１）を、操縦席（１０ａ）の上方を覆う第１位置（Ａ）から、後方の第２位置（Ｂ）へ移動させることによって、このサンバイザ（１１）の位置が下がり、天井の低い倉庫への格納や、機体へのシート掛け作業を更に容易に行なえる。
【００１５】
請求項４記載の発明によれば、上記請求項１または請求項２または請求項３に記載の発明の効果に加え、サンバイザ（１１）を支持するアーム（１９）を、グレンタンク（７）の前側上部に形成した切り欠き部（７ｂ）に侵入させることで後方へ大きく回動させることができるので、機体の全高を低くすることができ、コンバインを天井の低い倉庫へも容易に格納することができる。
【００１６】
請求項５記載の発明によれば、上記請求項１から請求項４のいずれか一項に記載の発明の効果に加えて、サンバイザ（１１）の姿勢を維持したまま前後に移動させることができるものでありながら、ロッド（２０）端部の取付け位置を変更することで、サンバイザ（１１）の前後方向の傾斜姿勢を調節することができ、例えば、後方へ移動させた状態で、サンバイザ（１１）を前下がりに傾斜させ、機体の全高を低くして、倉庫等への格納を更に容易化することができる。
【００１７】
請求項６記載の発明によれば、上記請求項１から請求項５のいずれか一項に記載の発明の効果に加えて、サンバイザ（１１）の重量に抗して付勢手段（２３）を作用させ、このサンバイザ（１１）の位置または姿勢の変更操作を容易に行うことができる。
【図面の簡単な説明】
【００１８】
【図１】コンバインの全体側面図である。
【図２】コンバインの全体平面図である。
【図３】サンバイザ取付部の拡大左側面図である。
【図４】サンバイザ取付部の拡大正面図である。
【発明を実施するための形態】
【００１９】
以下、本発明の実施形態を図面に示す実施例を参照しながら説明する。なお、左右とは機体の前進走行方向に向かって左右方向をいう。
コンバイン１の車体フレーム２の下部には、ゴムなどの可撓性材料を素材として無端帯状に成型したクローラ４を駆動スプロケット４ａと複数の遊動転輪４ｃと従動輪４ｂに巻回し、乾田はもちろんのこと湿田においても沈下しないで走行できる構成の走行装置３を備え、車体フレーム２の前部には刈取装置６を搭載し、車体フレーム２の左側に脱穀装置８を搭載し、車体フレーム２の左側にグレンタンク７と原動フレーム１４を搭載する。脱穀装置８で脱穀され、藁などと選別された穀粒は一番揚穀筒３２で送り揚げてグレンタンク７に一時貯留され、グレンタンク７が穀粒で満杯になると、穀粒排出オーガ９により外部へ穀粒を搬出する。
【００２０】
また、原動フレーム１４の上部であってグレンタンク７の前側に操縦部１０を設けており、この操縦部１０には、オペレータが搭乗する操縦席１０ａと、機体を操向する操舵レバー１３等の操作具を有する操作ポスト１０ｂとクローラ４の駆動速度を変更することで機体の走行速度を変更する主変速レバー１２等を有するサイド操作パネルが設けられ、該操縦部１０の上方部には原動フレーム１４の上部に立設した支柱１５に平行リンク機構（連繋手段，支持部材）１６を有する左右のメインアーム（アーム）１９，１９で支持したサンバイザ１１を設けている。
【００２１】
サンバイザ１１は、操縦席１０ａと操舵レバー１３を覆う平面視略四角形で、後述する平行リンク機構１６で構成した支持部を後方へ折り曲げて、搭乗ステップ１７に立ったオペレータの頭上を覆う使用位置（第１位置）Ａと操縦席１０ａに座ったオペレータの頭上を覆う後退位置（第２位置）Ｂと操縦席１０ａに極接近した格納位置（第３位置）Ｃに保持出来るようにしている。サンバイザ１１を後退位置Ｂにした状態で、オペレータが操縦席１０に座ってサイドミラー（図示省略）を見ながら操舵レバー１３や主変速レバー１２を操作して操縦可能である。
【００２２】
図３と図４に示す如く、原動フレーム１４に立設した支柱１５の上端に横架した下横桟２８には左右間隔をあけて固着した下ブラケット１８，１８と、サンバイザ１１を取り付けた上横桟２２に左右間隔をあけて固着した上ブラケット２１，２１をメインアーム（アーム）１９で回動可能に連結し、右側の下ブラケット１８と上横桟２２の右側の上ブラケット２１をサブロッド（ロッド）２０で回動可能に連結して平行リンク機構１６を構成している。
【００２３】
なお、グレンタンク７の前側上部には側面視で後上り傾斜状に切り欠いた切り欠き部７ｂを形成し、これによってグレンタンク７の前側上部に傾斜部７ａが構成される。
前記下ブラケット１８の高さ位置は、グレンタンク７の傾斜部７ａの上端７ａ１と下端７ａ２の間に位置することで、サンバイザ１１の後方への移動範囲を拡大することができ、平行リンク機構１６とグレンタンク７を干渉し難くすることができる。
【００２４】
サブロッド２０の下端を下ブラケット１８に枢支する部分に長孔１８ａ(調節部)を設け、サブロッド２０の下端位置を長孔１８ａ内で変更することで、サンバイザ１１の水平に対する傾きを変更出来て、後退位置Ｂで最も前下がりにすることで格納位置Ｃになる。
【００２５】
すなわち、後退位置Ｂでは、サンバイザ１１の前端部（先端部）と操縦席１０ａの座面との上下方向の間隔が広くなり、サンバイザ１１を後方へ退避させて機体の全高が低い状態でコンバインの操作を行うことができ、操縦席１０ａに着座した操縦者の頭上を覆って直射日光を遮断できるうえに、天井の低い倉庫へも容易に格納することができる。
【００２６】
そして、格納位置Ｃでは、サンバイザ１１が前下がりに傾斜して、このサンバイザ１１の前端部と操縦席１０ａとの上下間隔が狭くなり、機体の全高を更に低くして、コンバインの機体へのシート掛け作業を容易に行なうことができる。
【００２７】
また、左右のメインアーム１９，１９を横桟２９で連結し、下端に固着した扇状固定プレート３０，３０に設ける二か所の固定穴３０ａに下ブラケット１８，１８に設けるピン３１，３１を嵌合することで、メインアーム１９，１９の起立角度を変更して、サンバイザ１１を使用位置Ａと後退位置Ｂに保持する。ピン３１，３１をピンレバー２７で抜き差しする。ピン３１を挿入方向にバネで付勢し外れないようにし、ピンレバー２７を上方に回動して抜き出すようにする。なお、ピンレバー２７は、前後方向に回動してピン３１を抜き差しするようにしても良い。
【００２８】
左側の上ブラケット２１とメインアーム１９の間をガススプリング（付勢手段）２３で連結し、右側のメインアーム１９に取手２４を設けて、オペレータが取手２４を持ってサンバイザ１１を軽く昇降操作できるようにしている。なお、取手２４は、サンバイザ１１の前端部に設けても良い。
【００２９】
左右のメインアーム１９，１９はノブボルト２５，２６で取り外し可能にしている。
原動フレーム１４の後側で車体フレーム２に搭載するグレンタンク７は、サンバイザ１１を後退位置Ｂ又は格納位置Ｃにしたままで、穀粒排出オーガ９の縦送り筒９ａを中心にして前部を外側方へ回動してグレンタンク７内部や穀粒排出オーガ９のメンテナンスを行えるようにしている。
【００３０】
すなわち、サンバイザ１１を後退位置Ｂ又は格納位置Ｃに切り換えた状態における平行リンク機構１６とグレンタンク７の傾斜部７ａの間に所定の間隙を形成している。
このグレンタンク７の機体中心側には、脱穀装置８で脱穀した穀粒を送り揚げる一番揚穀筒３２が設けられ、この一番揚穀筒３２の上部を後退位置Ｂにしたサンバイザ１１で覆って、雨や塵埃が一番揚穀筒３２とグレンタンク７の継目部分へ侵入しないようにする。
【００３１】
また、グレンタンク７の前面部７ｆの上端から天面部７ｕの前端にかけて、後上がりの傾斜部７ａを形成し、サンバイザ１１を後退位置Ｂにした際にメインアーム１９，１９が当たらないようにしている。後退位置Ｂのサンバイザ１１は、連結ロッド３３で原動フレーム１４に引きつけることでサンバイザ１１を最も低くした格納位置Ｃに固定出来る。
【符号の説明】
【００３２】
２      車体フレーム
６      刈取装置
７      グレンタンク
７ａ    傾斜部
７ｂ    切り欠き部
８      脱穀装置
１０    操縦席
１１    サンバイザ
１６    平行リンク（連繋手段）
１８ａ  長孔（調節部）
１９    メインアーム（アーム）
２０    ロッド
２３    ガススプリング（付勢手段）
Ａ    第１位置
Ｂ    第２位置
【図１】
2013112275.tif 000003
【図２】
2013112275.tif 000004
【図３】
2013112275.tif 000005
【図４】
2013112275.tif 000006